(57)【特許請求の範囲】
【請求項１】
キーパッドと照明コントローラとの間のバインドを形成するための方法であって、
タッチセンサ式表示画面を有するモバイル機器において構成アプリケーション（アプリ）を実行し、前記構成アプリのユーザインターフェースが前記タッチセンサ式表示画面上でユーザに表示されており、
前記ユーザインターフェースにおいて、照明コントローラとキーパッドとの間のバインドを形成するためのユーザ選択可能なオプションを表示し、
前記オプションの選択に応じて、前記ユーザインターフェースにおいて前記照明コントローラにバインドされていないキーパッドに関する少なくとも１つのユーザ選択可能な場所を表示し、
場所の選択を受け取り、
少なくとも１つのキーパッド上の少なくとも１つのキーの押下を検出し、
前記ユーザインターフェースにおいて、前記少なくとも１つのキーパッドに対応するユーザ選択可能なエントリを表示し、
前記エントリのユーザ選択を受け取り、
前記少なくとも１つのキーパッドと前記照明コントローラとの間のバインドを形成することを含む、方法。
【請求項２】
前記少なくとも１つのキーパッドが、ワイファイ信号を介して前記照明コントローラと通信するようにワイファイ使用可能であり、前記検出することが、
前記少なくとも１つのキーの押下を示すワイファイ信号を、前記少なくとも１つのキーパッドから受け取ることを含む、請求項１に記載の方法。
【請求項３】
前記ユーザインターフェースにおいて、前記照明コントローラの設定を表示することを更に含み、前記設定が、前記照明コントローラと関連付けられたワイファイネットワークを含む、請求項１に記載の方法。
【請求項４】
前記少なくとも１つのキーの押下を示す、前記少なくとも１つのキーパッドからのワイファイ信号に関して、前記ワイファイネットワークをスキャンすることを更に含む、請求項３に記載の方法。
【請求項５】
前記ユーザ選択可能なエントリを表示することが、
前記少なくとも１つのキーパッドの一意の識別子を表示することを含む、請求項１に記載の方法。
【請求項６】
前記ユーザ選択可能なエントリを表示することが、
押下された少なくとも１つのキーのしるしを表示することを含む、請求項１に記載の方法。
【請求項７】
前記ユーザ選択可能なエントリを表示することが、
前記少なくとも１つのキーが押下されてから経過した時間の表示を示すことを含む、請求項１に記載の方法。
【請求項８】
前記モバイル機器が、スマートフォン又はタブレット型コンピュータである、請求項１に記載の方法。
【請求項９】
照明機能に関連するユーザ入力を受け取るためのキーを有する複数のワイファイ使用可能キーパッドと、
前記複数のワイファイ使用可能キーパッドの前記キーで受け取ったユーザ入力に基づいて照明装置を制御するように構成されたワイファイモジュールを有し、ワイファイネットワークを介して前記複数のワイファイ使用可能キーパッドと無線通信するように構成された、照明コントローラと、
構成アプリケーション（アプリ）とを含み、前記構成アプリは、実行された際に、
キーパッドの場所のしるしを受け取り、
前記場所に関連付けられるべき前記複数のキーパッドのうちのキーパッドのキーを押下するようにユーザに促し、
キーの押下を示す何らかのキーパッドからのワイファイ信号に関して前記ワイファイネットワークをスキャンし、
ユーザが前記キーパッド上の前記キーを押下したことを示すワイファイ信号を前記キーパッドから受け取り、
前記キーパッドを前記場所と関連付けることにより、前記キーパッドを前記照明コントローラにバインドするように動作する、システム。
【請求項１０】
前記構成アプリが、実行された際に、制御アプリケーションのユーザインターフェースにおけるユーザ選択として、前記キーパッドの場所のしるしを受け取るように更に動作可能である、請求項９に記載のシステム。
【請求項１１】
前記構成アプリが、実行された際に、バインドされた及びバインドされていないキーパッドの場所を表す要素を前記ユーザインターフェースに表示するように更に動作可能であり、前記キーパッドの場所のしるしが、バインドされていないキーパッドの場所を表す要素の選択されたものである、請求項１０に記載のシステム。
【請求項１２】
前記構成アプリが、実行された際に、
前記構成アプリのユーザインターフェースにおいて、前記キーパッドに対応するユーザ選択可能なエントリを表示し、
前記エントリのユーザ選択を受け取るように動作可能であり、
前記キーパッドが、前記エントリのユーザ選択に応じてバインドされる、請求項９に記載のシステム。
【請求項１３】
前記エントリが、前記少なくとも１つのキーパッドの一意の識別子を含む、請求項１２に記載のシステム。
【請求項１４】
前記エントリが、押下された前記少なくとも１つのキーのしるしを含む、請求項１２に記載のシステム。
【請求項１５】
前記エントリが、前記少なくとも１つのキーが押下されてから経過した時間の表示を含む、請求項１２に記載のシステム。
【請求項１６】
前記構成アプリを実行し、且つ前記構成アプリのユーザインターフェースをタッチセンサ式表示画面に表示するように構成されたモバイル機器を更に含み、前記モバイル機器が、前記複数のキーパッド及び前記照明コントローラから分離している、請求項９に記載のシステム。
【請求項１７】
符号化された実行可能な命令を有する持続性コンピュータ可読媒体であって、前記実行可能な命令は、１つ又は複数のプロセッサにより実行された際に、以下のように、即ち、
複数のワイファイ使用可能キーパッド、及びワイファイネットワークを介して前記キーパッドと通信する照明コントローラを含む照明制御システムの構成用のユーザインターフェースを表示し、
前記ユーザインターフェースのプロパティのしるしを受け取り、
前記プロパティに関連付けられるべき前記複数のワイファイ使用可能キーパッドのうちのキーパッドのキーを押下するようにユーザに促し、
キーの押下を示す何らかのキーパッドからのワイファイ信号に関してワイファイネットワークをスキャンし、
前記ユーザが前記キーパッド上のキーを押下したことを示すワイファイ信号をキーパッドから受け取り、
前記キーパッドを前記プロパティと関連付けることにより前記照明コントローラに前記キーパッドをバインドするように動作可能にする、持続性コンピュータ可読媒体。
【請求項１８】
前記プロパティが場所である、請求項１７に記載の持続性コンピュータ可読媒体。
【請求項１９】
前記実行可能な命令が、実行された際に、
前記キーパッドに対応するユーザ選択可能なエントリを前記ユーザインターフェースに表示し、
前記エントリのユーザ選択を受け取るように更に動作可能であり、
前記キーパッドが、前記エントリのユーザ選択に応じて前記プロパティに関連付けられる、請求項１７に記載の持続性コンピュータ可読媒体。
【請求項２０】
前記ユーザインターフェースが、前記複数のキーパッド及び前記照明コントローラから分離したモバイル機器上に表示される、請求項１７に記載の持続性コンピュータ可読媒体。
【発明の詳細な説明】
【技術分野】
【０００１】
本開示は一般に、ホームオートメーションのシステムに関し、より具体的には照明コントローラに関する。
【背景技術】
【０００２】
背景情報
オートメーション（自動化）システムは、住居用建物および商業ビルの双方においてどんどん普及してきている。典型的なホームオートメーションのシステム（以降、ホームオートメーションシステムと記載する）において、１つ又は複数のコントローラが当該システムを束ねて統率する。コントローラは、コントローラと通信するユーザインターフェースで受信された、ユーザからの命令に従って動作する。コントローラは、環境を変化させる、及び場合によっては環境データを収集するための機能を実現するエンドポイントを制御することができる。ホームオートメーションシステムのタイプに依存して、コントローラ、ユーザインターフェース装置、及びエンドポイントの特性は、変化する可能性がある。更に、同じ装置（デバイス）は往々にして、その能力および現在の役割に応じて、コントローラ、ユーザインターフェース装置、及び／又はエンドポイントとして動作する場合がある。本明細書で使用される限り、用語「コンポーネント」は概して、ホームオートメーションシステムのコントローラ、ユーザインターフェース装置、及び／又はエンドポイントを意味すると理解されるべきである。
【０００３】
オートメーションシステムは、照明、温度調節器、オーディオ／ビデオ、窓用ブラインド及びカーテン、警備および監視、通信、入口管理、電力管理などの分野における種々の異なるタイプの機能の何れかに関連するコンポーネントを含むことができる。例えば、オートメーションシステムが照明制御（コントロール）をサポートする場合、コントローラは照明コントローラを含むことができ、ユーザインターフェース装置は１つ又は複数の遠隔の制御装置およびキーパッドを含むことができ、エンドポイントは負荷モジュールを含むことができる。同様に、オートメーションシステムが温度調節器をサポートする場合、コントローラは、１つ又は複数の暖房・換気および空調（heating Ventilation and AirConditioning：ＨＶＡＣ）コントローラ（又はＨＶＡＣ制御機能を組み込んだ汎用コントローラ）を含むことができ、ユーザインターフェース装置は１つ又は複数の遠隔制御装置を含むことができ、エンドポイントは１つ又は複数のサーモスタット、及びセンサなどを含むことができる。
【０００４】
オートメーションシステムを構成するために、各コンポーネントは概して識別（特定）され、他のコンポーネントとその関係（単数または複数）が定義される必要がある。例えば、照明制御に関して、個々のランプ（照明器具）又はシーンが照明デザイナの仕様およびエンドユーザの好みに従って制御され得るように、各キーパッドが特定されて、特定の照明コントローラに割り当てられる必要がある。従って、オートメーションシステムの一部として照明コンポーネントを取り付けて構成する据付者（インストーラ）は、改善されたいっそう便利で迅速な信頼できる方法を必要としている。
【０００５】
照明コンポーネント及びオートメーションシステムの接続に生じることが多い別の問題は、オン状態からオフ状態（逆の場合も同じ）への移行中におけるスイッチの保護に関係する。係る移行中、スイッチは、過電圧、又は時間に対する電流または電圧の非常に急速な変化を蒙る可能性があり、それらの何れかはスイッチに損傷を与える、又はスイッチを破壊する可能性がある。半導体スイッチは、この問題に特に影響されやすい。この問題に対する１つの従来の解決策は、有害な過渡信号を抑制するために使用される「スナバ」回路である。例えば、スイッチが誘導負荷（例えば、モータ）に接続される場合、直列に接続されている抵抗およびコンデンサからなるスナバ回路が、負荷の両端に接続され得る。
【０００６】
従来のスナバ回路の重大な欠点は、その回路が特に負荷のタイプ（例えば、誘導性、容量性および抵抗性）にマッチングする点であり、それ故に他のタイプの負荷に不適切になる点である。これは、様々なタイプの負荷が存在することが多いオートメーションシステムにおいて問題であり、従って、複数のタイプの関連したスナバ回路を必要とする。
【０００７】
概要
一実施形態において、オートメーションシステムは、スマートフォン、及びタブレットなどのような１つ又は複数のモバイル機器と、無線通信が確立され得るワイファイ（WiFi）インターフェースを有する照明コントローラを含む。モバイル機器を用いて、据付者は、照明コントローラに関連付けられるキーパッドのバインド（結合）および設定を形成または変更することなど、照明コントローラを迅速に確実に構成することができる。
【０００８】
別の実施形態において、照明コントローラは、ダイナミックスナバ回路を含み、そのダイナミックスナバ回路は、異なるタイプの負荷と動作するために調光周期内でそれ自体を自動的に調整する。回路は、負荷の特性を検知し、負荷が本質的に誘導性、容量性または抵抗性であるかを判断する。その判断に基づいて、回路は、その特性を当該負荷に適切にマッチングさせるようにそれ自体を自動的に調整する。係る調整は、照明コントローラが調光（減光）動作を行う際に有利に実行され得る。当該回路により、照明コントローラは、発光ダイオード（ＬＥＤ）及び電球型蛍光ランプ（ＣＦＬ）のような非常に低い電力負荷とでさえも、円滑な調光動作を行うことが可能になる。
【０００９】
理解されるべきは、様々な追加の特徴および代替の実施形態が実施され得る。この概要は、読者への単なる序論として意図されており、ここで言及された例は、本発明の全ての態様を網羅する、或いは本発明の不可欠な又は必須の態様であることを、意味または暗示していない。
【００１０】
以下の説明は添付図面を参照する。
【図面の簡単な説明】
【００１１】
【図１】照明コントローラを含むオートメーションシステムのアーキテクチャに関するブロック図である。
【図２】例示的なモバイル機器のブロック図である。
【図３】例示的な照明コントローラに関するハードウェアのブロック図である。
【図４】例示的な照明コントローラに関するソフトウェアのブロック図である。
【図５】照明コントローラとキーパッドとの間のバインドを形成または変更するために据付者により使用され得る際の例示的なモバイル機器の一連の表示である。
【図６】照明コントローラの一部であるダイナミックスナバ回路のブロック図である。
【図７】ダイナミックスナバ回路の動作を示すフローチャートである。
【００１２】
詳細な説明
図１は、照明制御に的を絞っている例示的なホームオートメーションシステム１００のアーキテクチャに関するブロック図である。照明制御の対象は単なる例示であり、ホームオートメーションシステムが、照明、温度調節器、オーディオ／ビデオ、窓用ブラインド及びカーテン、警備および監視、通信、入口管理、及び電力管理などに関する種々の異なるタイプの機能をサポートすることができることを理解するべきである。ホームオートメーションシステムは、これら機能の１つ、又はこれら機能の複数の機能の組み合わせに向けられ得る。ホームオートメーションシステムは、住宅用の家で実施されることができ、当該機能は住宅環境に適合され得る。代案として、ホームオートメーションシステムは、商業ビル(例えば、オフィスビル、商店、工場など)で実施されることができ、これら機能は商業的要件に適合され得る。
【００１３】
例示的なホームオートメーションシステム１００は、照明制御に関連した多数のホームオートメーションのコンポーネント（例えば、コントローラ、ユーザインターフェース及びエンドポイント）を含む。図１に示されたように、照明コントローラ１１０は、有線ローカルエリアネットワーク（ＬＡＮ）１８０を介して、ホストコントローラ１２０に接続される。しかしながら、以下で詳述されるように、照明コントローラ１１０は好適には、ホストコントローラを用いずに単独で動作するための十分なオンボード資源を有する。有利な点は、係る柔軟性により、照明コントローラ１１０が、所望の特徴または機能を犠牲にせずに、低減されたコスト及び設置時間で多種多様のホームオートメーション又は他の環境で実施されることが可能になる。
【００１４】
ユーザインターフェースは、キーパッド１７０、遠隔制御装置１７５、及び場合によってはモバイル機器２００を含む。エンドポイントのユニットは、負荷モジュール、及びランプモジュール（図示せず）などを含む。
【００１５】
照明コントローラ１１０は、制御および通信機能を提供し、モジュールバス１３０を介して、負荷モジュール１４０をサポートする。負荷モジュールは、照明コントローラ１１０により命令された場合に個々の照明装置を薄暗くする及び／又は切り換える調光器モジュール及びリレーモジュールを含む。更に、照明コントローラ１１０は、個々のステーションバス１６０を介してキーパッド１７０に結合されるキーパッドリンクユニット１５０を、モジュールバス１３０を介してサポートする。キーパッド１７０は、薄暗くする及び／又は切り換えるために照明装置を示すユーザ入力を受け取り、そのユーザ入力は照明コントローラ１１０に戻るように提供される。一実施形態において、照明コントローラ１１０は、最高２００個までのキーパッド１７０をサポートすることができる。
【００１６】
照明コントローラ１１０が単独で動作するように構成されていない場合、ホストコントローラ１２０が、照明コントローラ１１０の動作を制御および監視し、並びにユーザインターフェースの解釈および高レベルの制御機能を提供するように構成される。１つ又は複数の無線アクセスポイント１９０が有線ＬＡＮ１８０に結合され、無線ＬＡＮ（ＷＬＡＮ）又はより具体的にはワイファイ（ＷｉＦｉ）ネットワークをサポートする。本明細書で使用される限り、用語「ワイファイ」は、電気電子技術者協会（ＩＥＥＥ）の８０２．１１規格の１つ又は複数に基づく無線ローカルエリアネットワーク（ＷＬＡＮ）を意味する。
【００１７】
ワイファイネットワークは、遠隔制御装置１７５及びモバイル機器２００により利用される。遠隔制御装置１７５及びモバイル機器２００に加えて、ホームオートメーションシステム１００の１つ又は複数の他のコンポーネントが、ワイファイネットワークを利用することができる。例えば、照明コントローラ１１０、キーパッド１７０及び他のコンポーネントがワイファイ使用可能とすることができ、有線接続を補うために又は（代案として）有線接続の代わりにワイファイネットワークを使用することができる。
【００１８】
ユーザ入力を受け取ってホームオートメーションシステム１００の進行中の動作を制御することに加えて、モバイル機器２００を用いてホームオートメーションシステム１００のコンポーネントを構成することができる。個々のモバイル機器２００は、これら役割の一方または双方に使用され得る。本明細書で使用される限り、用語「モバイル機器」は、携帯して運ばれるように適合され、無線通信インターフェース及びタッチセンサ式表示画面を含む電子デバイスを意味する。タブレット型コンピュータ（例えば、アップル社から入手できるｉＰａｄ（登録商標）タブレット）、スマートフォン（例えば、アップル社から入手できるｉＰｈｏｎｅ（登録商標）スマートフォン、様々なサプライヤーから入手できるアンドロイド（登録商標）スマートフォン）、及び特定の携帯型メディアプレーヤ（例えば、アップル社から入手できるｉＰｏｄ（登録商標）タッチなど）のような装置が、モバイル機器と考えられる。デスクトップコンピュータはモバイル機器と考えられない。制御の役割に使用される場合、モバイル機器２００は、制御アプリケーション（アプリ）を実行し、ホストコントローラ１２０と通信することができる。以下で詳述されるように、構成の役割に使用される場合、モバイル機器２００は、構成アプリを実行し、コントローラでない個々のコンポーネントと直接的に通信することができる。
【００１９】
図２は、例示的なモバイル機器２００のブロック図である。モバイル機器２００は、プロセッサ２１０、メモリ２２０、無線ネットワークインターフェース２３０、タッチセンサ式画面２４０、有線シリアル通信インターフェース２５０、及び他のハードウェアを含む。プロセッサ２１０は、ソフトウェアを実行し、データ構造からのデータを操作するように構成された論理回路を含む。メモリ２２０は、ソフトウェア及びデータ構造を格納するための複数の記憶場所を含む。無線ネットワークインターフェース２３０は、ＷＬＡＮ、又はより具体的にはワイファイネットワークを介した通信を容易にする。タッチセンサ式画面２４０は、ユーザからのジェスチャ（例えば、タッチ、スワイプ、マルチタッチジェスチャなど）の形態でユーザ入力を受け取ることができる。シリアル通信インターフェース２５０は、３０ピンのドックインターフェース、ライトニング（Lightning）（登録商標）インターフェース、ＵＳＢインターフェース、又は別のタイプのインターフェースとすることができる。
【００２０】
メモリ２２０に常駐するオペレーティングシステム２６０、及びその一部は、モバイル機器２００を機能的に束ねて統率する。オペレーティングシステム２６０は、アップル社から入手できるｉＯＳ（登録商標）オペレーティングシステム、グーグル社から入手できるアンドロイド（登録商標）オペレーティングシステム、又は別のタイプのオペレーティングシステムとすることができる。構成アプリ２７０は、オペレーティングシステム２６０と連係して実行されて、モバイル機器２００が構成の役割で動作することを可能にし、ホームオートメーションシステム１００のコンポーネント（例えば、コントローラ、ユーザインターフェース又はエンドポイント）を構成することを可能にする。構成アプリ２７０は、タッチセンサ式画面２４０上にユーザインターフェースを表示し、そこでユーザ入力を受け取ることができる。更に、制御アプリ（図示せず）も、メモリ２２０に格納されることができ、制御アプリによりモバイル機器２００が制御の役割で動作し、且つホームオートメーションシステム１００の進行中の動作を制御することが可能になる。また、制御アプリ（図示せず）は、タッチセンサ式画面２４０にそのユーザインターフェースを表示することもでき、そこでユーザ入力を受け取ることができる。
【００２１】
図３は、図１に示された照明コントローラ１１０のハードウェアのブロック図である。ワイファイ（ＷｉＦｉ）モジュール３００は、照明コントローラにワイファイ接続性を提供する。ワイファイモジュール３００は、ＣＰＵ／制御モジュール３２０と双方向で通信する。ＣＰＵ／制御モジュール３２０と連係するワイファイモジュール３００により、照明コントローラ１１０が、アクセスポイント又はクライアントとして機能することが可能になる。更に、複数の照明コントローラ１１０が設備に存在し、それぞれがクライアントとして構成される場合、照明コントローラの全ては、同じワイファイネットワーク上で動作することができる。代案として、各照明コントローラ１１０は、会議室センターのような商用設備に有利とすることができる別個のネットワークを提供するように構成され得る。
【００２２】
ワイファイモジュール３００により提供されるワイファイ接続性により、照明コントローラ１１０は、ホスト型ウェブサービスにアクセスすることが可能になる。係るサービスは、照明コントローラ１１０により制御されることが意図された又は照明コントローラ１１０と相互運用するように意図されたコンポーネントに関する詳細な情報のルックアップを含むことができる。更に、ワイファイモジュール３００により提供されるワイファイ接続性により、照明コントローラ１１０は、ウェブを介して遠隔的に制御されることが可能になる。
【００２３】
ユーザインターフェースモジュール３１０は好適には、ボタン、表示ＬＥＤ、及び他のユーザ調整可能な制御装置を含むことができきるキーパッドである。ユーザインターフェースモジュール３１０は、ＣＰＵ／制御モジュール３２０と双方向で通信する。電力および絶縁モジュール３３０は、ＣＰＵ／制御モジュール３２０に電力を供給する。ダイナミック（動的）スナバ及びエネルギー監視モジュール３４０は、ＣＰＵ／制御モジュール３２０と双方向で通信する。モジュール３４０は、ＣＰＵ／制御モジュール３２０から情報も受け取るコネクタ／調光制御モジュール３５０と双方向で通信する。
【００２４】
図４は、図１に示された照明コントローラ１１０のソフトウェアのブロック図である。プロセス４００は、トリガ／リレーの管理に役割を果たし、ハードウェアをトリガする及びリレーするためのインターフェースを提供する。サービス４１０は、ネットワーク設定および発見サービスである。サービス４１０により、照明コントローラ１１０と同じネットワークに接続されたコンピュータが、照明コントローラを見つけ出し、そのＩＰアドレス、ネットワークサブマスク、ゲートウェイ、ＤＮＳサーバ設定およびＤＨＣＰまたは静的エントリを設定することが可能になる。サービス４２０は、照明イベントに関する情報を受け取り、照明スクリプトを実行し、負荷状態、シーン状態およびＬＥＤ表示器を常時監視している照明コントローラサービスである。サービス４３０は、システム名称を取得および維持する役割を果たす。
【００２５】
コントローラ４４０は、Ｉ２Ｃ（inter-integrated circuit）及びシリアルペリフェラルバス（ＳＰＩ）デバイスに読み出し、書き込み、及びブリッジアクセスを提供するデバイスリンクコントローラである。インターフェース４５０は、より低いレベルの制御ハードウェア及びソフトウェアに別個のインターフェースを提供し、それにより他のアプリが、オーディオ／ビデオの切り換え及び棚管理のような機能に関して照明コントローラ１１０を制御することが可能になる。サービス４６０は赤外線（ＩＲ）装置にインターフェースを提供する。コントローラ４７０は、温度監視およびファン回転速度に対して責任がある。
【００２６】
リナックス（Linux）（登録商標）オペレーティングシステム４８０は、照明コントローラ１１０を機能的に束ねて統率する。イーサネット（登録商標）ドライバ４９０は、ＴＣＰ／ＩＰプロトコルスタック４９５、ワイファイキーパッドソケット４９８及びＨＴＴＰウェブサーバ４９９と連係して、照明コントローラ１１０にネットワーク接続性を提供する。ドライバ４９０のグループは、インターフェース４９６と連係して、ステーションバス１６０（図１）を介したキーパッド１７０（図１）との通信を提供する。同様に、ドライバ４９０は、インターフェース４９７と連係して、モジュールバス１３０（図１）を介した負荷モジュール１４０（図１）との通信を提供する。
【００２７】
上述されたように、照明コントローラ１１０は、その実質的なオンボード資源により、ホストコントローラなしに、又は代案としてホストコントローラ（図１）と連係して単独で動作するように構成され得る。どちらの構成においても、照明コントローラ１１０は、数多くの豊かな機能および特徴を提供する。例えば、照明コントローラ１１０のユーザインターフェース３１０（キーパッド）上のボタンは、部屋または区域においてそれぞれが予め選択された照度レベルに設定されている複数のランプからなる所望の照明「シーン」をオン及びオフするために割り当てられ得る。照明シーンの簡単な例は、住宅の外部照明の全てが最大照度でオンされる「全てオン（all on）」シーンである。別の例は、住宅の室内灯の全てがオフされる「全てオフ（all off）」シーンである。更に別の例は、ファミリールーム又はメディア室がテレビ又はスクリーンを視聴するために暗くされるが、薄暗い周辺照明が電気スタンド又は壁の突き出し燭台式電灯により提供される「ムービー（映画）ナイト」シーンである。個々のランプがオンされるが、照明デザイナの仕様またはエンドユーザの好みに従って、所望の照度レベルに落とされている他のシーンが、生成され得る。
【００２８】
照明コントローラ１１０のユーザインターフェース（キーパッド）３１０の代案として、モバイル機器２００が照明コントローラ１１０に対するユーザインターフェースとして機能することができる。タッチセンサ式画面２４０上に表示されたボタン又は他の制御装置に対して適切なジェスチャを行うことにより、ユーザは、照明シーンをオン又はオフする、或いは照明コントローラ１１０を操作することができる。
【００２９】
さて、図１、図２及び図５を参照すると、照明コントローラ１１０に関連付けられたキーパッド１７０のバインド（結合）および設定を形成または変更するための方法が説明される。上述されたように、構成の役割またはモードで使用される場合、モバイル機器２００は、構成アプリを実行して、照明コントローラ１１０及びキーパッド１７０を含む個々のコントローラでないコンポーネントと直接的に通信する。図５に示されるように、モバイル機器２００は、構成アプリを予めダウンロードしており、当該構成アプリを実行している。タッチセンサ式画面２４０は、「Device（デバイス、装置）」に関する情報５００を表示しており、即ちモデル名称「SSL-P018」により識別される照明コントローラ１１０を表すことができる照明コントローラを表示している。モデル名称の下には、照明コントローラ１１０に割り当てられたＩＰアドレス（１０．５．４．１３）が、一意のシステム識別子（00-82-F3-86-BB-F7000）と共に表示されている。一意のシステム識別子の下には、画面２４０が一連のボタン５０５を表示する。
【００３０】
第１のボタン５１０は、照明コントローラ１１０が現時点で関連付けられているワイファイネットワークの名称「Lee Home Network」でラベル付けされている。ボタン５１０を押下することにより、据付者またはエンドユーザが、「Lee Home Network」のワイファイネットワークの代替である他の利用可能なワイファイネットワークに関する情報を取得することができる。
【００３１】
第２のボタン５１５は、「Binding & Controller Settings（バインドおよびコントローラの設定）」とラベル付けされ、一般にキーパッド１７０のバインドおよび設定を形成または変更するために据付者により使用される。第３のボタン５２０は「Role（役割）」とラベル付けされ、情報が画面２４０上に現時点で表示されている照明コントローラの役割（「Lighting Controller（照明コントローラ）」）を表示する。「Firmware（ファームウェア）」とラベル付けされた第４のボタン５２５は、照明コントローラ１１０に関するファームウェアのアップデートが利用可能か否かの表示（しるし）を示す。上述されたように、ファームウェアのアップデートは、ホスト型ウェブサービス及び照明コントローラ１１０のワイファイ接続性を用いて取得され得る。
【００３２】
据付者がキーパッド１７０のバインドまたは設定を形成または変更したいと考える場合、据付者は、ボタン５１５を押下することにより開始し、それにより画面２４０は、画面表示５３０に遷移し、画面表示５３０では、バインド（結合）されていないキーパッド（例えば、「Kitchen Sconces（キッチンの突き出し燭台式電灯）」）に対応するボタンが、最初にリストアップされ、その後に、バインドされたキーパッド（例えば、「Kid's Room（子供部屋）」）に対応するボタンが続いている。所与の照明コントローラがキーパッドと相互運用するために、キーパッドは、照明コントローラにバインドされなければならない。バインドされていないキーパッドに対するバインドを形成するために、据付者は、対応する場所のボタンを押下する。例えば、「Bedroom Wall（寝室の壁）」とラベル付けされたボタン５４０を押下することにより、画面２４０は、寝室の壁の場所に対応する画面表示５５０に遷移する。
【００３３】
画面表示５５０は、「Bedroom Wall」のキーパッドがそれに割り当てられたアドレスを有するが、現時点で何らかのデバイスにバインドされていないことを示す。次いで、据付者は「Bedroom Wall」のキーパッド上のキーを物理的に押下し、それによりそのキーパッドは、モバイル機器２００がスキャン（走査）しているワイファイ信号を送信する。モバイル機器２００がそのスキャン中に検出する係る信号毎に、モバイル機器は、検出されたキーパッドの一意のシステム識別子でラベル付けされたボタン５６０、並びに物理的ボタンが押下されたこと、及びその押下が行われてからの経過時間に関する表示（しるし）を示す。所望のキーパッドが表示されていない場合、据付者は、キーパッド上のボタンを物理的に押下し、次いで画面２４０上の「Rescan（再スキャン）」のボタン５７０を押下し、通常動作の下でボタン５６０に類似する新たなボタンが画面上に出現する。
【００３４】
特定のキーパッドに対するバインドを形成するために、据付者は単に、所望のキーパッドに対応するボタン５６０を押下し、それにより、据付者が行った選択に関する目視確認としての機能を果たすチェックマークの表示という結果になる。この時点で、選択されたキーパッドは現在、照明コントローラにバインドされている。バインドに関する情報は好適には、照明コントローラ１１０に格納される。
【００３５】
図６は、図３に示されたダイナミックスナバ回路のハードウェアのブロック図である。ＣＰＵ／制御モジュール３２０は、ＬＥＤ６００を含む調光制御モジュール３５０に結合される。スナバ回路６１０は、ダイナミックスナバ及びエネルギー監視モジュール３４０、並びに負荷６２０と並列に接続される。調光周期（サイクル）中、ＬＥＤ６００から放出された光の存在により、スナバ回路６１０は、負荷６２０の両端に接続される。調光周期が終了すると、ＬＥＤ６００によって光は放出されず、スナバ回路６１０は負荷６２０から有効に分離（絶縁）される。
【００３６】
図７は、ダイナミックスナバ及びエネルギー監視モジュール３４０の動作を示すフローチャート７００である。ここで、図６及び図７を参照すると、ステップ７０１において、ＣＰＵ／制御モジュール３２０が選択プロセスを開始する。より具体的には、ステップ７０５において、プログラム可能な動作モードのグループの１つが、指定された負荷のタイプ（例えば、誘導性、容量性または抵抗性）に基づいて選択される、ダイナミック（動的）選択が行われる。負荷のタイプは、モバイル機器２００上に表示されたユーザ選択可能なオプションによって、ユーザインターフェースモジュール３１０（キーパッド）上のボタンを手動で押下することによって、又は照明コントローラ１１０で実行されているソフトウェアを通じてなどの様々な方法で指定され得る。
【００３７】
負荷の指定されたタイプに適切である動作モードの選択後、フローは、ステップ７１０、７１５、７２０又は７２５の１つに進む。ステップ７１０は、抵抗性負荷に適切である第１のデフォルト動作モードに対応する。ステップ７１５は、例えば容量性負荷に適切である第２の動作モードに対応する。ステップ７２０は、例えば誘導性負荷に適切である第３の動作モードに対応する。上述されたように、動作モードはプログラム可能であり、追加のモードが適切なプログラミングを通じて提供され得る。ステップ７２５は、他の利用可能な動作モードの何れかとも都合良くマッチングしない例外的な特性を有する特定の負荷に随意に提供され得る他の考えられる動作モードを表す。
【００３８】
第１のデフォルト動作モードが選択された場合、フローは、スナバ回路が線間電圧の５０Ｈｚ又は６０Ｈｚ周期の波の０％〜１０％で動的に結合（engaged：係合）または解放（disengaged：離脱）されるステップ７３０に進む。類似したステップ７３５及び７４０がそれぞれ、第２及び第３の動作モードに設けられ、また何らかの他のプログラム可能なモード７２５にも一般に設けられる。
【００３９】
ステップ７４５において、動的調整は、負荷のタイプ及び回路の実際の性能に関する目視観測に基づいて、スナバ回路の結合点および解放点に行われ得る。やはり、類似したステップ７５０及び７５５が第２及び第３の動作モードに設けられる。ステップ７６０において、負荷６２０が動作している際に、更なる動的調整が行われ得る。
【００４０】
理解されるべきは、様々な改変および変更が、本明細書に記載された実施形態の思想および範囲内において行われ得る。更に、理解されるべきは、上述した技術の少なくとも幾つかの部分は、ソフトウェア、ハードウェア、又はそれらの組み合わせで実施され得る。ソフトウェアの具現化形態は、揮発性または永続性メモリ、ハードディスク、コンパクトディスク（ＣＤ）又は他の有形媒体のような持続性コンピュータ可読媒体に格納されたコンピュータ実行可能命令を含むことができる。ハードウェアの具現化形態は、構成されたプロセッサ、論理回路、特定用途向け集積回路、及び／又は他のタイプのハードウェアコンポーネントを含むことができる。更に、組み合わされたソフトウェア／ハードウェアの具現化形態は、持続性コンピュータ可読媒体に格納されたコンピュータ実行可能命令、及び１つ又は複数のハードウェアコンポーネント（例えば、プロセッサ、メモリなど）の双方を含むことができる。従って、理解されるべきは、上記の説明は、単なる例示の目的で解釈されることが意図されている。
【図１】
0006309091.tif 000002
【図２】
0006309091.tif 000003
【図３】
0006309091.tif 000004
【図４】
0006309091.tif 000005
【図５】
0006309091.tif 000006
【図６】
0006309091.tif 000007
【図７】
0006309091.tif 000008